(57)【要約】【課題】  一定期間は所定限度額内で自動的に所定金額をチャージできるＩＣカードチャージシステムを提供する。【解決手段】  電子マネー機能付きＩＣカード１０または携帯端末２０の管理を行うサーバ４０の定期間限度額内自動チャージ手段４１０は、各ＩＣカード１０または携帯端末２０について予め設定された設定期間４２２はチャージ限度額４２３を限度に残額４２５に加えるチャージ処理を実行する。また、定期間限度額内自動チャージ手段４１０は、各ＩＣカード１０または携帯端末２０について予め設定された設定期間４２２は、予め設定されたチャージ限度額４２３を超えない範囲で、残額４２５に分割チャージ設定額４２６を加える分割チャージ手段を有する。【選択図】  図１
2009282869.tif 000002
【特許請求の範囲】
【請求項１】
電子マネー機能付きＩＣカードと、ＩＣカード・リード／ライト機能を有するレジ端末と、前記レジ端末と通信網を介して接続されたサーバとからなり、
前記サーバは、予め定めた設定期間内は予め定めた設定金額を限度に、前記電子マネー機能付きＩＣカードに対して所定金額をチャージする定期間限度額内自動チャージ手段を有することを特徴とするＩＣカードチャージシステム。
【請求項２】
前記定期間限度額内自動チャージ手段は、前記設定期間内は前記設定金額を分割して前記電子マネー機能付きＩＣカードに対してチャージする分割チャージ手段を更に有することを特徴とする請求項１記載のＩＣカードチャージシステム。
【請求項３】
前記電子マネー機能付きＩＣカードは、電子マネー機能付きの携帯端末であることを特徴とする請求項１または請求項２に記載のＩＣカードチャージシステム。
【請求項４】
電子マネー機能付きＩＣカードに対して、予め定めた設定期間内は予め定めた設定金額を限度に、所定金額をチャージする定期間限度額内自動チャージ手段を有することを特徴とするサーバ。
【請求項５】
コンピュータを、請求項４記載のサーバとして機能させることを特徴とするプログラム。
【発明の詳細な説明】
【技術分野】
【０００１】
本発明は、電子マネー機能付きＩＣカードのチャージシステムに関する。
【背景技術】
【０００２】
近年、非接触型のＩＣカードを使用した電子マネーが、鉄道等の改札機、スーパーマーケット、コンビニエンスストア等で使用されるようになってきている。多くの電子マネー機能付きＩＣカードはプリペイド式であり、チャージ機によりユーザが所定の金額をチャージする方法や、残額が一定額を下回ると所定の金額が自動的にチャージされる方法等が採られており、さらに、使用実績によりチャージ額を変化させる方法が提案されている（特許文献１）。
【特許文献１】特開２００４−３６２３０７号公報
【発明の開示】
【発明が解決しようとする課題】
【０００３】
しかしながら、上記の方法では、残額が一定額を下回るごとに何回でも際限なくチャージされてしまうという問題があった。
【０００４】
本発明は、このような課題に鑑みてなされたもので、その目的とするところは、一定期間は所定限度額内で自動的に所定金額をチャージできるＩＣカードチャージシステムを提供することである。
【課題を解決するための手段】
【０００５】
前述した課題を解決するための第１の発明は、電子マネー機能付きＩＣカードと、ＩＣカード・リード／ライト機能を有するレジ端末と、前記レジ端末と通信網を介して接続されたサーバとからなり、前記サーバは、予め定めた設定期間内は予め定めた設定金額を限度に、前記電子マネー機能付きＩＣカードに対して所定金額をチャージする定期間限度額内自動チャージ手段を有することを特徴とするＩＣカードチャージシステムである。
【０００６】
また、前記定期間限度額内自動チャージ手段は、前記設定期間内は前記設定金額を分割して前記電子マネー機能付きＩＣカードに対してチャージする分割チャージ手段を更に有する。
【０００７】
また、前記電子マネー機能付きＩＣカードは、電子マネー機能付きの携帯端末であってもよい。
【０００８】
上記の構成により、一定期間は所定限度額内で自動的に所定金額をＩＣカードにチャージすることが可能になる。
【０００９】
第２の発明は、電子マネー機能付きＩＣカードに対して、予め定めた設定期間内は予め定めた設定金額を限度に、所定金額をチャージする定期間限度額内自動チャージ手段を有することを特徴とするサーバである。
第３の発明は、コンピュータを、請求項４記載のサーバとして機能させることを特徴とするプログラムである。
【発明の効果】
【００１０】
本発明によれば、一定期間は所定限度額内でＩＣカードに所定金額を自動チャージすることが可能になり、自動チャージによる使いすぎを防ぎ、出費の管理を行うことが可能になる。
【発明を実施するための最良の形態】
【００１１】
以下、図面に基づいて本発明の好適な実施形態について詳細に説明する。
図１は、本実施の形態の自動チャージシステム１のシステム構成を示す図である。
【００１２】
図１に示すように、自動チャージシステム１は、電子マネー機能付きのＩＣカード１０や電子マネー機能付きの携帯端末２０、チャージ端末３０あるいはレジ端末３２、チャージ端末３０あるいはレジ端末３２と通信網６０を介して接続されたサーバ４０、サーバ４０と通信網６０を介して接続されたクレジット会社・金融機関のサーバ５０等で構成される。
【００１３】
電子マネー機能付きの携帯端末２０は、例えば、電子マネー機能付きのＩＣカードが内蔵された携帯電話等である。
チャージ端末３０あるいはレジ端末３２は、電子マネー機能付きのＩＣカード１０や携帯端末２０のデータを読み出し、データを書き込むリーダ／ライタ３０５を有する。
【００１４】
通常、買い物を行う場合には、レジ端末３２のリーダ／ライタ３０５にＩＣカード１０や携帯端末２０をかざすことにより、リーダ／ライタ３０５がＩＣカード１０や携帯端末２０のカード識別コードや残額情報を読み込む。
【００１５】
レジ端末３２は、通信網６０を介してサーバ４０にアクセスし、上記カード識別コードのＩＣカード１０または携帯端末２０の残額で買い物が可能か否かを問い合わせる。サーバ４０は、上記カード識別コードに対応するＩＣカード１０または携帯端末２０の残額情報を記憶しており、残額が買い物金額を上回っていれば買い物が可能である旨をレジ端末３２に通知し、買い物が可能になる。このとき、レジ端末３２のリーダ／ライタ３０５は、買い物後の残額をＩＣカード１０または携帯端末２０に書きこむ。
【００１６】
通常、チャージ端末３０でチャージを行う場合には、ＩＣカード１０または携帯端末２０のユーザがチャージ端末３０のリーダ／ライタ３０５にＩＣカード１０または携帯端末２０をかざし、リーダ／ライタ３０５は、ＩＣカード１０または携帯端末２０のカード識別コードを読み込む。
【００１７】
チャージ端末３０は、通信網６０を介してサーバ４０にアクセスし、サーバ４０は、サーバ４０に記録されているＩＣカード１０または携帯端末２０の残額をチャージ端末３０に送る。チャージ端末３０は、サーバ４０から送られてきた残額を表示する。
【００１８】
ユーザが、チャージ金額をチャージ端末３０に挿入すると、チャージ端末３０は、ＩＣカード１０または携帯端末２０にリーダ／ライタ３０５により新たな残額を書きこむとともに、通信網６０を介して、チャージ金額をサーバ４０に送る。
サーバ４０は、チャージ金額を以前の残額に加算し、新たな残額として記憶する。
【００１９】
図２は、電子マネー機能付きのＩＣカード１０の説明図である。電子マネー機能付きの携帯端末２０の場合、携帯端末２０内にＩＣカード１０が内蔵されている。
【００２０】
図２（ａ）は、ＩＣカード１０の内部構成例を示す図である。
ＩＣカード１０内には、レジ端末３２またはチャージ端末３０のリーダ／ライタ３０５と通信を行うための電磁誘導用のアンテナ１３と、制御用ＩＣチップ１１が内蔵されている。
【００２１】
図２（ｂ）は、ＩＣカード１０内の制御用ＩＣチップ１１の構成図である。
同図に示すように、制御用ＩＣチップ１１は、例えば、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３、送受信インタフェース１１５、情報記憶部１１７等がバス１１９で接続された構成である。
【００２２】
ＣＰＵ１１１は、ＲＯＭ１１２に格納されているプログラムをＲＡＭ１１３上のワークメモリ領域に呼び出して実行し、バス１１９を介して接続された各部分を駆動制御する。情報記憶部１１７は、例えばＲＡＭ等で構成され、ＩＣカード１０のカード識別コードや残額等の情報を格納する。送受信インタフェース１１５は、ＣＰＵ１１１によるプログラムの実行に基づき制御されるものであり、情報記憶部１１７に格納されている情報をＩＣカード１０のアンテナ１３を介して送信し、またアンテナ１３を介して外部から受信した情報を受け取る。
【００２３】
図２（ｃ）は、情報記憶部１１７のデータ構成例を示す図である。
情報記憶部１１７には、例えば、カード識別コード４２１（例えば「ＡＡＡ」）と、残額４２３（例えば「３０００円」）とが格納される。
【００２４】
図３は、チャージ端末３０またはレジ端末３２のハードウエア構成例を示す図である。
図３に示すように、チャージ端末３０またはレジ端末３２は、例えば、制御部３０１、記憶部３０２、メディア入出力部３０３、通信制御部３０４、入出力インタフェース３０６、表示部３０７、入力部３０８、印刷部３０９等がバス３１０を介して接続されて構成される。入出力インタフェース３０６には、ＩＣカード・リーダ／ライタ３０５が接続されている。
【００２５】
制御部３０１は、ＣＰＵ、ＲＯＭ、ＲＡＭ等で構成される。
ＣＰＵは、記憶部３０２、ＲＯＭ、記録媒体等に格納されるプログラムをＲＡＭ上のワークメモリ領域に呼び出して実行し、バス３１０を介して接続された各装置を駆動制御し、買い物の清算処理や、ＩＣカード１０または携帯端末２０へのチャージ処理を実行する。
ＲＯＭは、コンピュータのブートプログラムやＢＩＯＳ等のプログラム、データ等を恒久的に保持し、ＲＡＭは、ロードしたプログラムやデータを一時的に保持するとともに、制御部３０１が各種処理を行うために使用するワークエリアを備える。
【００２６】
記憶部３０２は、ＨＤＤ（ハードディスクドライブ）であり、制御部３０１が実行するプログラムや、プログラム実行に必要なデータ、ＯＳ（オペレーティング・システム）等が格納されている。これらのプログラムコードは、制御部３０１により必要に応じて読み出されてＲＡＭに移され、ＣＰＵに読み出されて実行される。
【００２７】
メディア入出力部３０３（ドライブ装置）は、例えば、フロッピー（登録商標）ディスクドライブ、ＰＤドライブ、ＣＤドライブ、ＤＶＤドライブ、ＭＯドライブ等のメディア入出力装置であり、データの入出力を行う。
【００２８】
通信制御部３０４は、通信制御装置、通信ポート等を有し、通信網６０との通信を媒介する通信インタフェースであり、通信制御を実行する。
入出力インタフェース３０６は、ＩＣカード・リーダ／ライタ３０５に接続され、ＩＣカード・リーダ／ライタ３０５によるデータの読み出し／書込みを制御する。
【００２９】
表示部３０７は、液晶パネル、ＣＲＴモニタ等のディスプレイ装置と、ディスプレイ装置と連携して表示処理を実行するための論理回路（ビデオアダプタ等）で構成される。
入力部３０８は、例えば、キーボード、マウス等のポインティング・デバイス、テンキー等の入力装置であり、データの入力を行う。
印刷部３０９は、プリンタであり、例えば、レシート等の印刷処理を行う。
【００３０】
図４は、サーバ４０またはクレジット会社・金融機関のサーバ５０のハードウエア構成図である。
サーバ４０は、電子マネー機能付きのＩＣカード１０または携帯端末２０の管理センター等に設置されており、各ＩＣカード１０または携帯端末２０の使用状況や残額等の管理を行う。
【００３１】
また、サーバ４０は図１に示すように、定期間限度額内自動チャージ手段４１０を有する。定期間限度額内自動チャージ手段４１０は、後述する定期間限度額内自動チャージ処理（図５、図６）を実行する。
また、定期間限度額内自動チャージ手段４１０は更に分割チャージ手段４１１を有する。分割チャージ手段４１１は、分割チャージ機能を付加した定期間限度額内自動チャージ処理（図７、図８；後述）を実行する。
【００３２】
サーバ４０およびクレジット会社・金融機関のサーバ５０は、例えば、制御部４０１、記憶部４０２、メディア入出力部４０３、通信制御部４０４、入力部４０５、印刷部４０６、表示部４０７等がバス４０８を介して接続されて構成される。
【００３３】
制御部４０１のＣＰＵは、記憶部４０２、ＲＯＭ、記録媒体等に格納されるプログラムをＲＡＭ上のワークメモリ領域に呼び出して実行し、バス４０８を介して接続された各装置を駆動制御する。
ＲＯＭは、コンピュータのブートプログラムやＢＩＯＳ等のプログラム、データ等を恒久的に保持し、ＲＡＭは、ロードしたプログラムやデータを一時的に保持するとともに、制御部４０１が各種処理を行うために使用するワークエリアを備える。
【００３４】
記憶部４０２は、ＨＤＤ（ハードディスクドライブ）であり、制御部４０１が実行するプログラムや、プログラム実行に必要なデータ、ＯＳ（オペレーティング・システム）等が格納されている。これらのプログラムコードは、制御部４０１により必要に応じて読み出されてＲＡＭに移され、ＣＰＵに読み出されて各種の手段として実行される。
【００３５】
メディア入出力部４０３（ドライブ装置）は、例えば、フロッピー（登録商標）ディスクドライブ、ＰＤドライブ、ＣＤドライブ、ＤＶＤドライブ、ＭＯドライブ等のメディア入出力装置であり、データの入出力を行う。
【００３６】
通信制御部４０４は、通信制御装置、通信ポート等を有し、通信網６０との通信を媒介する通信インタフェースであり、通信制御を実行する。
入力部４０５は、例えば、キーボード、マウス等のポインティング・デバイス、テンキー等の入力装置であり、データの入力を行う。
印刷部４０６は、プリンタであり、例えば、レシート等の印刷処理を行う。
表示部４０７は、液晶パネル、ＣＲＴモニタ等のディスプレイ装置と、ディスプレイ装置と連携して表示処理を実行するための論理回路（ビデオアダプタ等）で構成される。
【００３７】
次に、本実施の形態の定期間限度額内自動チャージ手段４１０の動作について、図５および図６に沿って説明する。
図５は、定期間限度額内自動チャージ手段４１０により実行される定期間限度額内自動チャージ処理の流れを示すフローチャート、図６は、サーバ４０の記憶部４０２に格納されるカード情報格納データベース４２０のデータ構成例を示す図である。
【００３８】
サーバ４０の記憶部４０２には、定期間限度額内自動チャージ処理の実行に必要なプログラム及びカード情報格納データベース４２０が格納されており、サーバ４０の制御部４０１は記憶部４０２から上述のプログラムを読み出すとともにカード情報格納データベース４２０に含まれる情報を読み出し、図５のフローチャートに従って各処理を実行する。
【００３９】
またユーザは、電子マネー機能付きのＩＣカード１０および携帯端末２０の使用に先立ち、設定期間、チャージ限度額、及び期間開始日時をチャージ端末３０またはレジ端末３２から登録しておく。
チャージ端末３０またはレジ端末３２は、登録された設定期間、チャージ限度額、及び期間開始日時を通信網６０を介してサーバ４０に送り、サーバ４０は、記憶部４０２のカード情報格納データベース４２０に格納する。
【００４０】
図６に示すように、カード情報格納データベース４２０には、各ＩＣカード１０あるいは携帯端末２０のカード識別コード４２１に対応付けて、登録された設定期間４２２、登録されたチャージ限度額４２３、残額４２４、及び期間開始日時４２５が格納される。
【００４１】
例えば、カード識別コード４２１が「ＡＡＡ」のＩＣカード１０の場合、自動チャージの設定期間４２２として「１ヶ月」が登録され、チャージ限度額４２３として「３万円」が登録される。また、残額４２４は例えば「３０００円」のように、データ参照時点での残額４２４の情報が逐次更新して格納される。期間開始日時４２５は例えば「２００８年２月５日」というように、最新の期間開始日時４２５が更新して格納される。
【００４２】
設定期間４２２は、カード識別コード４２１が「ＢＢＢ」の場合は、「３ヶ月」、「ＣＣＣ」の場合は「２週間」というように、ユーザの要求に従って予め設定される。
また、チャージ限度額４２５についても、ユーザの要求に従って、例えば、「３万円」、「５万円」、「２万円」等のように予め設定される。
【００４３】
期間開始日時４２５は、設定期間を設定した日時から設定期間が経過する都度更新して格納されるものである。例えば、カード識別コード「ＡＡＡ」のＩＣカード１０の場合は、期間開始日時４２５「２００８年２月５日」から設定期間４２２の「１ヶ月」が経過すると、経過した日時「２００８年３月５日」に書き換えられる。同様に、カード識別コード「ＢＢＢ」のＩＣカード１０の場合は、期間開始日時４２５「２００８年１月１日」から設定期間４２２の「３ヶ月」が経過すると、経過した日時「２００８年４月１日」に書き換えられ、カード識別コード「ＣＣＣ」のＩＣカード１０の場合は、期間開始日時４２５「２００８年４月１０日」から設定期間４２２の「２週間」が経過すると、経過した日時「２００８年４月２４日」に書き換えられる。
【００４４】
図５において、サーバ４０の制御部４０１は、まずカード情報格納データベース４２０から設定期間４２２、チャージ限度額４２３、期間開始日時４２５、及び残額４２４を読み出し（ステップＳ１０１）、各ＩＣカード１０及び携帯端末２０について、期間開始日時４２５から設定期間４２２が経過したか否かを判定する（ステップ１０２）。
【００４５】
設定期間４２２が経過している場合は（ステップＳ１０２；Ｙｅｓ）、チャージ限度額４２３をチャージする。すなわち、サーバ４０の制御部４０１はクレジットカード会社または金融機関のサーバ５０にアクセスし、ＩＣカード１０または携帯端末２０の電子マネー機能用に登録されている口座からチャージ限度額分を引き落とす。そして、残額４２４にチャージ限度額４２３を加算して更新記録する（ステップＳ１０３）。次に、期間開始日時４２５を現在の日時に更新する（ステップＳ１０４）。
【００４６】
一方、ステップＳ１０２において、期間開始日時４２５から設定期間４２２が経過していない場合、すなわち設定期間内は（ステップＳ１０２；Ｎｏ）、チャージ処理を行わずに定期間限度額内自動チャージ処理を終了する。
【００４７】
以上の定期間限度額内自動チャージ処理により、サーバ４０は、各ＩＣカード１０または携帯端末２０ごとに予め設定された設定期間内は、残額に関わらずチャージ処理を行わないが、設定期間が経過した場合には予め設定されているチャージ限度額を限度にチャージ処理を実行し、カード情報格納データベース４２０の情報を更新する。
【００４８】
例えば、カード識別コード４２１が「ＡＡＡ」のＩＣカード１０の場合、図６に示すように残額４２４は「３０００円」、チャージ限度額４２５は「３万円」であるが、期間開始日時から設定期間「１ヶ月」を経過した場合にはチャージ限度額の「３万円」を自動的にチャージすることとなり、チャージ後の残額は「３万３０００円」となる。前回自動チャージした日時である期間開始日時から設定期間が経過していない場合は残額に関わらず自動的なチャージ処理は行われない。
【００４９】
ここで、定期間限度額自動チャージ手段による上述の処理はサーバ４０で実行される処理であるので、ＩＣカード１０または携帯端末２０の情報記憶部１１７に格納されている残額４２４は最新の情報に書き換えられていない。そこで、本実施の形態の自動チャージシステム１では、ユーザがＩＣカード１０または携帯端末２０を使用するためにレジ端末３２またはチャージ端末３０のリーダ／ライタ３０５にかざした際に、レジ端末３２またはチャージ端末３０がサーバ４０とデータを送受信し、最新の残額４２４のデータをリーダ／ライタ３０５によってＩＣカード１０または携帯端末２０の情報記憶部１１７に書き込むものとする。
【００５０】
また、サーバ４０による定期間限度額内自動チャージ処理は、サーバ４０側が定期的に行うものとしてもよいし、レジ端末３２またはチャージ端末３０から処理実行の要求を受けたときに行うものとしてもよい。
【００５１】
また、本実施の形態の自動チャージシステム１では、定期間限度額内自動チャージ手段４１０は分割チャージ手段４１１により、設定されたチャージ限度額を分割して自動チャージするようにしてもよい。
以下、図７及び図８を参照して、分割チャージ機能を付加した定期間限度額自動チャージ処理について説明する。
図７は、分割チャージ手段４１１により実行される分割チャージ機能を付加した定期間限度額内自動チャージ処理の流れを示すフローチャートであり、図８は、サーバ４０の記憶部４０２に格納されるカード情報格納データベース４２０ｂのデータ構成例を示す図である。
【００５２】
ユーザは、電子マネー機能付きのＩＣカード１０および携帯端末２０の使用に先立ち、設定期間４２２、チャージ限度額４２３、及び期間開始日時４２５に加え、分割チャージ設定額４２６をチャージ端末３０またはレジ端末３２から登録しておく。
分割チャージ設定額４２６とは、設定したチャージ限度額４２３を複数回に分けてチャージする場合の１回あたりのチャージ額である。例えばチャージ限度額４２３を「３万円」とした場合には分割チャージ設定額４２６は「３万円」より少ない金額が設定される必要があり、例えば「３０００円」等とすればよい。チャージ限度額４２３を「３万円」、分割チャージ設定額４２６を「３０００円」とした場合には分割チャージ可能な回数は１０回までとなる。
【００５３】
チャージ端末３０またはレジ端末３２は、登録された設定期間４２２、チャージ限度額４２３、期間開始日時４２５、分割チャージ設定額４２６を通信網６０を介してサーバ４０に送り、サーバ４０は、記憶部４０２のカード情報格納データベース４２０ｂに格納する。
【００５４】
図８に示すように、サーバ４０のカード情報格納データベース４２０ｂには、各ＩＣカード１０及び携帯端末２０のカード識別コード４２１に対応付けて、設定期間４２２、チャージ限度額４２３、残額４２４、期間開始日時４２５、分割チャージ設定額４２６、分割チャージ済み金額４２７が格納される。
【００５５】
分割チャージ済み金額４２７とは、分割チャージ設定額４２６に設定された金額をチャージ処理する都度、加算したものである。設定期間４２２が経過した場合には、分割チャージ済み金額４２７は初期化（＝０）される。
【００５６】
例えば、カード識別コード４２１が「ＡＡＡ」のＩＣカード１０の場合、自動チャージの設定期間４２２は「１ヶ月」であり、チャージ限度額４２３は「３００００円」である。また、データ参照時点での残額４２４は「３０００円」であり、期間開始日時４２５は「２００８年２月５日」である。また、分割チャージ設定額４２６は「３０００円」であり、データ参照時点での分割チャージ済み金額４２７は「１５０００円」である。
【００５７】
分割チャージ設定額４２６は、カード識別コード４２１が「ＢＢＢ」の場合は「−（設定なし）」、「ＣＣＣ」の場合は「１００００円」というように、ユーザの要求に従って予め設定される。分割チャージ設定額４２６が設定されていない場合は、通常の定期間限度額自動チャージ処理（図５参照）が適用される。
【００５８】
図７において、サーバ４０の制御部４０１は、まずカード情報格納データベース４２０ｂから設定期間４２２、チャージ限度額４２３、期間開始日時４２５、残額４２４、分割チャージ設定額４２６、及び分割チャージ済み金額４２７を読み出し（ステップＳ２０１）、各ＩＣカード１０及び携帯端末２０について、期間開始日時４２５から設定期間４２２が経過したか否かを判定する（ステップ２０２）。
【００５９】
設定期間４２２が経過していない場合は（ステップＳ２０２；Ｎｏ）、次に分割チャージ済み金額４２７がチャージ限度額４２３より少ないか否かを判定する（ステップＳ２０３）。分割チャージ済み金額４２７がチャージ限度額４２３以上である場合は（ステップＳ２０３；Ｎｏ）、チャージ処理を行わずに処理を終了する。
【００６０】
一方、分割チャージ済み金額４２７がチャージ限度額４２３より少ない場合は（ステップＳ２０３；Ｎｏ）、更に残額４２３が固定額より少ないか否かを判定する（ステップＳ２０４）。ここで、固定額とは残額４２４がこの固定額を下回る場合にのみチャージ処理を行うように設定される金額である。固定額はユーザまたはサーバ４０の管理者により設定される。例えば「１０００円」等である。
【００６１】
残額４２３が固定額以上の場合（ステップＳ２０４；Ｎｏ）は、チャージ処理を行わないで処理を終了する。
一方、残額４２３が固定額より少ない場合（ステップＳ２０４；Ｙｅｓ）は、分割チャージ設定額４２６をチャージする。すなわち、クレジットカード会社または金融機関のサーバ５０にアクセスし、ＩＣカード１０または携帯端末２０の電子マネー機能用に登録されている口座から分割チャージ設定額分を引き落とす。
【００６２】
そして、残額４２４に分割チャージ設定額４２６を加算して更新記録する。また、分割チャージ済み金額４２７に分割チャージ設定額４２６を加算して更新記録する（ステップＳ２０５）。
【００６３】
一方、ステップＳ２０２において、設定期間４２２が経過している場合は（ステップＳ２０２；Ｙｅｓ）、分割チャージ済み金額４２７を一旦初期化（←０）し（ステップＳ２０６）、期間開始日時４２５を現在時刻に更新する（ステップＳ２０７）。その後、ステップＳ２０４に移行し、残額４２２が固定額を下回るか否かを判定し、固定額より少なければ、分割チャージ設定額４２６をチャージし、残額４２４に分割チャージ設定額４２６を加算して更新記録するとともに、分割チャージ済み金額４２７に分割チャージ設定額４２６を加算して更新記録する（ステップＳ２０５）。
【００６４】
以上の分割チャージ機能を付加した定期間限度額内自動チャージ処理により、サーバ４０は、予め設定された設定期間内は、予め設定した分割チャージ設定額ずつチャージ限度額を限度にチャージ処理を実行し、カード情報格納データベース４２０ｂの情報を更新する。また、分割チャージ済み金額４２７がチャージ限度額４２３に達するとチャージ処理を行わない。また、設定期間４２２を経過した場合は、分割チャージ済み金額を一旦初期化するとともに、期間更新日時を更新し、分割チャージ設定額をチャージする。
【００６５】
例えば、カード識別コード４２１が「ＡＡＡ」のＩＣカード１０の場合、図８に示すように、残額４２４は「３０００円」、チャージ限度額４２３は「３万円」である。期間開始日時４２５から設定期間４２２の「１ヶ月」の間は、残額４２４が固定額を下回る都度、分割チャージ設定額４２６の「３０００円」ずつチャージ限度額４２３の「３万円」に達するまで自動的にチャージする。
【００６６】
以上のように、本実施の形態の自動チャージシステム１は、一定期間は電子マネー機能付きＩＣカード１０のチャージ額をユーザの設定した金額を限度として自動チャージする。そのため一定期間は設定した金額より多く自動チャージされることがない。例えば、電子マネー機能付きＩＣカード１０で食品を購入する場合、一月の食費を設定し、管理することも可能になる。またユーザが予め分割チャージ額を設定すれば、限度額を分割してチャージすることもできるので、より細やかな出費の管理を行えるようになる。設定した限度額を超えてＩＣカード１０を使用したい場合には、チャージ端末３０により、現金を入金してチャージすることも可能である。
【００６７】
尚、本発明は、前述した実施の形態に限定されるものではなく、種々の改変が可能であり、それらも、本発明の技術範囲に含まれる。
【図面の簡単な説明】
【００６８】
【図１】本実施の形態の自動チャージシステム１の構成を示す図
【図２】ＩＣカード１０の構成を示す図
【図３】チャージ端末３０（レジ端末３２）のハードウエア構成図
【図４】サーバ４０、５０のハードウエア構成図
【図５】定期間限度額内自動チャージ処理の流れを示すフローチャート
【図６】カード情報格納データベース４２０の構成を示す図
【図７】分割チャージ機能を付加した定期間限度額内自動チャージ処理の流れを示すフローチャート
【図８】カード情報格納データベース４２０ｂの構成を示す図
【符号の説明】
【００６９】
１・・・自動チャージシステム
１０・・・ＩＣカード
２０・・・携帯端末
３０・・・チャージ端末
３２・・・レジ端末
３０５・・・ＩＣカード・リーダ／ライタ３０５
４０・・・サーバ
４１０・・・定期間限度額内自動チャージ手段
４１１・・・分割チャージ手段
５０・・・クレジット会社・金融機関のサーバ
６０・・・通信ネットワーク
【図１】
2009282869.tif 000003
【図２】
2009282869.tif 000004
【図３】
2009282869.tif 000005
【図４】
2009282869.tif 000006
【図５】
2009282869.tif 000007
【図６】
2009282869.tif 000008
【図７】
2009282869.tif 000009
【図８】
2009282869.tif 000010